(57)【要約】【課題】日常的にテストすることのできる防犯ブザーを提供する。【解決手段】防犯ブザーは、周囲に危険な状態であることを知らせる音を出力する音声出力部（１１２）と、作動することにより音声出力部に音を出力させる出力スイッチ（１０３）と、音声出力部から出力される音量を下げる小音量回路（１２０）と、作動することにより、小音量回路を導通させるテストスイッチ（１０２）と、テストスイッチを非作動状態に付勢する付勢部材（１１９）と、を備える。【選択図】図２
2014078192.tif 000002
【特許請求の範囲】
【請求項１】
周囲に危険な状態であることを知らせる音を出力する音声出力部と、
作動することにより前記音声出力部に前記音を出力させる出力スイッチと、
前記音声出力部から出力される音量を下げる小音量回路と、
作動することにより、前記小音量回路を導通させるテストスイッチと、を備える防犯ブザー。
【請求項２】
請求項１に記載の防犯ブザーであって、
前記テストスイッチを非作動状態に付勢する付勢部材を更に備える、ことを特徴とする防犯ブザー。
【請求項３】
請求項１又は２に記載の防犯ブザーであって、
前記テストスイッチの作動は、前記小音量回路への導通動作のみであり、他の回路の切断動作は伴わない、ことを特徴とする防犯ブザー。
【請求項４】
請求項１乃至３のいずれか一項に記載の防犯ブザーであって、
前記テストスイッチは、押下されることにより作動し
前記押下される面は、非作動状態で筐体面と連続的な面又は前記連続的な面より内側にある面である、ことを特徴とする防犯ブザー。
【発明の詳細な説明】
【技術分野】
【０００１】
本発明は、防犯ブザーに関する。
【背景技術】
【０００２】
近年、外出時における犯罪から身を守るために防犯ブザーを身につけることが一般化してきている。特に、親や教師の目の届かないところを通学する小学生などは、自ら周囲に対して危険な状態であることを報知することが困難なため、身につけさせている父母は多い。このような防犯ブザーは、共に通学する子供のうちの複数の子供が身につけていることにより、犯罪の抑止にもつながっている。
【０００３】
特許文献１は、注意警告音声である音声１と、音声１及び救援を求める音声２の組み合わせの音声とのいずれかを選択できる携帯警報器について開示している。
【先行技術文献】
【特許文献】
【０００４】
【特許文献１】特開平１０−１０５８３６号公報
【発明の概要】
【発明が解決しようとする課題】
【０００５】
防犯ブザーは、身に危険を感じた際に、一度の操作で確実にブザー音を出力する必要がある。そのため、定期的に防犯ブザーのテストを行うことが望ましい。このテストの際には、単に電池切れ等の確認だけでなく、回路の破損等を確認するため、実際に防犯ブザーにブザー音を出力させることが望ましい。
【０００６】
しかしながら、実際に使用した際に鳴る大音量でチェックを行うと、危険を知らせているものと周囲に勘違いさせてしまう恐れがある。また、大音量で何度もテストを行うことにより周囲がブザー音に聞き慣れてしまうと、周囲が危険な状態を知らせているブザー音であるという認識が低くなり、防犯ブザーの効果を低下させてしまう恐れもある。
【０００７】
一方、防犯ブザーを所持する人は、防犯ブザーが機能するかどうかの不安を感じた際にいつでもテストできるものであること望んでいる。特に、小学生等は鞄に付けられた防犯ブザーを日頃から物にぶつけている恐れもあるため、回路や音声出力部が破損することも考えられる。したがって、毎日定期的に、また気づいたときにいつでもテストできる防犯ブザーが望まれている。
【０００８】
本発明は、上述の事情を鑑みてしたものであり、日常的にテストすることのできる防犯ブザーを提供することを目的とする。
【課題を解決するための手段】
【０００９】
本発明の防犯ブザーは、周囲に危険な状態であることを知らせる音を出力する音声出力部と、作動することにより前記音声出力部に前記音を出力させる出力スイッチと、前記音声出力部から出力される音量を下げる小音量回路と、作動することにより、前記小音量回路を導通させるテストスイッチと、を備える防犯ブザーである。
【００１０】
また、本発明の防犯ブザーにおいては、前記テストスイッチを非作動状態に付勢する付勢部材を更に備えていてもよい。
【００１１】
また、本発明の防犯ブザーにおいて、前記テストスイッチの作動は、前記小音量回路への導通動作のみであり、他の回路の切断動作は伴わないこととしてもよい。
【００１２】
また、本発明の防犯ブザーにおいて、前記テストスイッチは、押下されることにより作動し、前記押下される面は、非作動状態で筐体面と連続的な面又は前記連続的な面より内側にある面であってもよい。
【図面の簡単な説明】
【００１３】
【図１】本発明の一実施形態に係る防犯ブザーについて示す図である。
【図２】本体内に組み込まれた回路の構成を概略的に示す回路図である。
【図３Ａ】図１のIII−III線におけるテストスイッチの断面の例を示す図である。
【図３Ｂ】図１のIII−III線におけるテストスイッチの断面の例を示す図である。
【図４】図２に示された回路の変形例である回路図である。
【発明を実施するための形態】
【００１４】
以下、本発明の実施形態について、図面を参照しつつ説明する。なお、図面において、同一又は同等の要素には同一の符号を付し、重複する説明を省略する。
【００１５】
図１は、本発明の一実施形態に係る防犯ブザー１００について示す図である。この図に示されるように、防犯ブザー１００は、卵形の形状をした本体１０１と、引くことによりブザー音を出力させる出力スイッチであるピン１０３と、ピン１０３に取り付けられ、ピン１０３を引くための持ち手となる出力スイッチ用ストラップ１０４と、防犯ブザー１００のブザー音出力のテストの際に用いるテストスイッチ１０２と、本体１０１を鞄等に取り付けるための取付用ストラップ１０５と、を有している。ここで、出力スイッチであるピン１０３は引かれた状態でブザー音が出力され続け、押し戻すことにより出力を停止するプルスイッチである。また、テストスイッチ１０２は、押下されていないときはＯＦＦ（非作動）状態となるように付勢されており、押し続けている間のみＯＮ（作動）状態となる。
【００１６】
図２は、本体１０１内に組み込まれた回路１１０の構成を概略的に示す回路図である。回路１１０は、電源１１１と、一端が電源に接続された出力スイッチであるピン１０３と、トランジスタ１１４と、トランジスタ１１４のコレクタに一端が接続された音声出力部１１２と、トランジスタ１１４のベースに一端が接続された抵抗１１３と、を有し、音声出力部１１２の他端及び抵抗１１３の他端は、共にピン１０３の出力スイッチの他端に接続されている。トランジスタ１１４のエミッタは接地され、トランジスタ１１４のベース側には、テストスイッチ１０２と接地された抵抗１１５とからなる小音量回路１２０が形成されている。
【００１７】
なお、図１においても説明したように、ピン１０３は、出力スイッチ用ストラップ１０４を引くことにＯＮになり、押し戻すことによりＯＦＦになるプルスイッチであり、テストスイッチ１０２は、押下されたときのみＯＮとなり、通常はＯＦＦとなるように付勢部材であるバネ１１９により付勢されている。
【００１８】
通常のブザー音出力時には、テストスイッチ１０２はＯＦＦに付勢されたまま、出力スイッチ用ストラップ１０４が引かれ、ピン１０３の出力スイッチがＯＮとなる。この状態では、抵抗１１３を介してトランジスタ１１４のベース電位が高くなるため、トランジスタ１１４が導通し、音声出力部１１２からブザー音が出力される。
【００１９】
一方、テストスイッチ１０２を押しながら、出力スイッチ用ストラップ１０４を引き、ピン１０３の出力スイッチがＯＮとなった場合には、回路は通常のブザー音出力時と同様の動作の他、テストスイッチ１０２により、小音量回路１２０が導通するため、トランジスタ１１４のベースが抵抗１１５を介して接地され、通常のブザー音出力時より低いベース電圧となり、トランジスタ１１４を流れる電流も少なくなる。このため、音声出力部１１２を流れる電流が少なくなり、より小さい音によりブザー音が出力される。これにより、テストスイッチ１０２を押すことにより、通常の危険な状態を知らせるための出力回路をそのまま使用しつつ、音量を小さくしたテストを行うことができる。
【００２０】
つまり、防犯ブザー１００はテストスイッチ１０２を有するため、通常の大音量で出力することなく、小音量で防犯ブザー１００のテストを行うことができる。また、通常使用する回路は切断されることなく、そのまま利用されるため、電源の確認だけでなく、音声出力部１１２を含む回路の不具合についてのテストを小音量で行うことができる。したがって、毎日及び必要な時にいつでも、周囲に気遣うことなく防犯ブザー１００のテストを行うことができる。また、テストスイッチ１０２はＯＦＦ状態となるように付勢されているため、危険な状態を知らせるための音量で出力をさせたい時に、テスト時の小音量となることなく、通常の音量で出力させることができる。
【００２１】
図３Ａ及び３Ｂには、図１のIII−III線におけるテストスイッチ１０２の一部断面の例が示されている。図３Ａでは、テストスイッチ１０２の押下される面は、ＯＦＦ状態で本体１０１の表面と連続的な面で形成されている。図３Ｂでは、テストスイッチ１０２の押下される面は、本体の１０１の表面と連続的な面より内側になるように形成されている。このようにテストスイッチ１０２の押下面を、本体１０１の表面と連続的又はその内側に形成することにより、防犯ブザー１００の使用時に、偶発的にテストスイッチ１０２が押される状態を回避することができ、通常の音量で出力させることができる。
【００２２】
図４には、図２に示された回路１１０の変形例である回路２１０が示されている。電源１１１、ピン１０３、音声出力部１１２、抵抗１１３及びトランジスタ１１４の構成は回路１１０と変わらないため、説明を省略する。回路２１０は、回路１１０の小音量回路１２０のように、トランジスタ１１４のベースに流れる電流を逃がすことにより減少させるものでなく、テストスイッチ２０２により、抵抗２１５の入った回路に切り替えることにより、ベース電圧を下げ、音量を下げる小音量回路２２０となっている。図２と同様にテストスイッチ２０２は、押下されていないときはＯＦＦとなるように付勢部材であるバネ２１９により付勢されている。このような回路２１０を用いた場合であっても、通常の大音量で出力させることなく、小音量で防犯ブザーのテストを行うことができる。また、テストスイッチ２０２はＯＦＦ状態となるようにバネ２１９により付勢されているため、危険な状態を知らせるための出力を行いたい時に、テスト時の小音量となることなく、通常の音量で出力させることができる。
【００２３】
本実施形態では、防犯ブザー及びテストスイッチの形状は図１に示されるような形状としたが、この形状はどのような形状であってもよい。また、本実施形態においては、ピン１０３は本体１０１から抜けないでＯＮ／ＯＦＦのスイッチを機能させる構成としたが、ピン１０３は抜けることにより機能するような構成であってもよい。
【符号の説明】
【００２４】
１００  防犯ブザー、１０１  本体、１０２  テストスイッチ、１０３  ピン、１０４  出力スイッチ用ストラップ、１０５  取付用ストラップ、１１０  回路、１１１  電源、１１２  音声出力部、１１３  抵抗、１１４  トランジスタ、１１５  抵抗、１１９  バネ、１２０  小音量回路、２０２  テストスイッチ、２１０  回路、２１５  抵抗、２１９  バネ、２２０  小音量回路。
【図１】
2014078192.tif 000003
【図２】
2014078192.tif 000004
【図３Ａ】
2014078192.tif 000005
【図３Ｂ】
2014078192.tif 000006
【図４】
2014078192.tif 000007